(57)【要約】【課題】第１の画像形成装置にエラーが発生した場合に、第２の画像形成装置で印刷を継続して行うことができ、消費電力が大きくなるのを防止することができるようにする。【解決手段】第１、第２の画像形成装置は、ネットワークを介して互いに通信可能に接続されるとともに、前記携帯端末と近距離無線通信回線を介して接続され、近距離無線通信を有効又は無効にする近距離通信部を備え、前記第１の画像形成装置は、エラーが発生した場合に、近距離無線通信有効化指示を第２の画像形成装置に送信し、第２の画像形成装置は、近距離無線通信有効化指示を受信した場合に、携帯端末との近距離無線通信を有効にする。操作者が携帯端末を第２の画像形成装置にかざすだけで、第２の画像形成装置で印刷を継続して行うことができる。【選択図】図１
2020181448.tif 000002
【特許請求の範囲】
【請求項１】
携帯端末、第１の画像形成装置、及び少なくとも一つの第２の画像形成装置から成る画像形成システムにおいて、
（ａ）前記第１、第２の画像形成装置は、ネットワークを介して互いに通信可能に接続されるとともに、前記携帯端末と近距離無線通信回線を介して接続され、
（ｂ）前記第１、第２の画像形成装置は、起動されることによって携帯端末との近距離無線通信を有効にし、停止させられることによって携帯端末との近距離無線通信を無効にする近距離通信部を備え、
（ｃ）前記第１の画像形成装置は、エラーが発生した場合に、携帯端末との近距離無線通信を有効にする近距離無線通信一時有効化指示をネットワークを介して第２の画像形成装置に送信する監視部を備え、
（ｄ）前記第２の画像形成装置は、第１の画像形成装置から近距離無線通信有効化指示を受信した場合に、前記近距離通信部を起動し、携帯端末との近距離無線通信を有効にする近距離無線通信状態切替部を備えることを特徴とする画像形成システム。
【請求項２】
（ａ）前記監視部は、第１の画像形成装置が、エラーが発生している第１の状態に置かれているか、又はエラーが解除されてから所定の時間が経過するまでの第２の状態に置かれているかを判断し、第１の画像形成装置の置かれた状態を表す指示情報をネットワークを介して前記第２の画像形成装置に送信し、
（ｂ）該第２の画像形成装置は、前記指示情報を受信し、第１の画像形成装置が第１の状態に置かれている場合に、前記携帯端末に第２の画像形成装置の使用を許可する使用許可通知を近距離無線通信によって送信し、第１の画像形成装置が第２の状態に置かれている場合に、前記携帯端末に第２の画像形成装置の使用を許可しない使用不許可通知を近距離無線通信によって送信する請求項１に記載の画像形成システム。
【請求項３】
（ａ）前記監視部は、第１の画像形成装置のエラーが解除されてから所定の時間が経過したかどうかを判断し、所定の時間が経過した場合に、携帯端末との近距離無線通信を無効にする近距離無線通信一時有効化解除指示をネットワークを介して第２の画像形成装置に送信し、
（ｂ）前記近距離無線通信状態切替部は、第１の画像形成装置から近距離無線通信有効化解除指示を受信した場合に、前記近距離通信部を停止させ、携帯端末との近距離無線通信を無効にする請求項１又は２に記載の画像形成システム。
【請求項４】
前記監視部は、第１の画像形成装置にエラーが発生した場合に、第２の画像形成装置のうちの利用可能な画像形成装置を検索し、近距離無線通信有効化指示を利用可能な画像形成装置に送信する請求項１〜３のいずれか１項に記載の画像形成システム。
【請求項５】
（ａ）前記監視部は、第１の画像形成装置のエラーが解除されてから所定の時間が経過したかどうかを判断し、所定の時間が経過していない場合に、第１の画像形成装置によって印刷を開始するための誘導先画像形成装置設定指示を第２の画像形成装置に送信し、
（ｂ）該第２の画像形成装置は、誘導先画像形成装置設定指示を受信し、誘導先画像形成装置を設定した後に、携帯端末からＷｉ−Ｆｉ（登録商標）情報要求を受信した場合に、前記誘導先画像形成装置を携帯端末に通知する請求項１〜４のいずれか１項に記載の画像形成システム。
【発明の詳細な説明】
【技術分野】
【０００１】
本発明は、画像形成システムに関するものである。
【背景技術】
【０００２】
従来、プリンタ、複写機、ファクシミリ、複合機等の画像形成装置、例えば、複数のプリンタと携帯端末とを近距離無線通信回線によって接続し、操作者が携帯端末をプリンタにかざすことによって近距離無線通信、例えば、ＮＦＣ（Ｎｅａｒ  Ｆｉｅｌｄ  Ｃｏｍｍｕｎｉｃａｔｉｏｎ）を行い、印刷を行うようにした画像形成システムが提供されている。
【０００３】
該画像形成システムにおいては、第１の画像形成装置としての所定のプリンタで印刷が行われているときに、プリンタにエラー（障害）が発生し、印刷が停止させられると、操作者が携帯端末を第２の画像形成装置としての他のプリンタにかざすことによって、他のプリンタで印刷を継続して行うことができるようになっている（例えば、特許文献１参照。）。
【先行技術文献】
【特許文献】
【０００４】
【特許文献１】特開２０１５−１１５９１号公報
【発明の概要】
【発明が解決しようとする課題】
【０００５】
しかしながら、前記従来の画像形成システムにおいては、前記他のプリンタにおいて、携帯端末との間でＮＦＣを有効にするか無効にするかを設定することができるようになっていて、ＮＦＣが無効に設定されていると、操作者が携帯端末を他のプリンタにかざしても、ＮＦＣは行われず、印刷を行うことができない。
【０００６】
そこで、他のプリンタにおいてＮＦＣを常に有効にしておくことが考えられるが、その場合、ＮＦＣインタフェースの電源をオンにしておく必要があり、消費電力が大きくなってしまう。
【０００７】
本発明は、前記従来の画像形成システムの問題点を解決して、第１の画像形成装置にエラーが発生した場合に、操作者が携帯端末を第２の画像形成装置にかざすだけで、第２の画像形成装置で印刷を継続して行うことができ、消費電力が大きくなるのを防止することができる画像形成システムを提供することを目的とする。
【課題を解決するための手段】
【０００８】
そのために、本発明の画像形成システムは、携帯端末、第１の画像形成装置、及び少なくとも一つの第２の画像形成装置から成る。
【０００９】
そして、前記第１、第２の画像形成装置は、ネットワークを介して互いに通信可能に接続されるとともに、前記携帯端末と近距離無線通信回線を介して接続される。
【００１０】
また、前記第１、第２の画像形成装置は、起動されることによって携帯端末との近距離無線通信を有効にし、停止させられることによって携帯端末との近距離無線通信を無効にする近距離通信部を備える。
【００１１】
そして、前記第１の画像形成装置は、エラーが発生した場合に、携帯端末との近距離無線通信を有効にする近距離無線通信一時有効化指示をネットワークを介して第２の画像形成装置に送信する監視部を備える。
【００１２】
また、前記第２の画像形成装置は、第１の画像形成装置から近距離無線通信有効化指示を受信した場合に、前記近距離通信部を起動し、携帯端末との近距離無線通信を有効にする近距離無線通信状態切替部を備える。
【発明の効果】
【００１３】
本発明によれば、画像形成システムは、携帯端末、第１の画像形成装置、及び少なくとも一つの第２の画像形成装置から成る。
【００１４】
そして、前記第１、第２の画像形成装置は、ネットワークを介して互いに通信可能に接続されるとともに、前記携帯端末と近距離無線通信回線を介して接続される。
【００１５】
また、前記第１、第２の画像形成装置は、起動されることによって携帯端末との近距離無線通信を有効にし、停止させられることによって携帯端末との近距離無線通信を無効にする近距離通信部を備える。
【００１６】
そして、前記第１の画像形成装置は、エラーが発生した場合に、携帯端末との近距離無線通信を有効にする近距離無線通信一時有効化指示をネットワークを介して第２の画像形成装置に送信する監視部を備える。
【００１７】
また、前記第２の画像形成装置は、第１の画像形成装置から近距離無線通信有効化指示を受信した場合に、前記近距離通信部を起動し、携帯端末との近距離無線通信を有効にする近距離無線通信状態切替部を備える。
【００１８】
この場合、第１の画像形成装置にエラーが発生すると、携帯端末との近距離無線通信を有効にする近距離無線通信有効化指示が第１の画像形成装置から第２の画像形成装置に送信され、第２の画像形成装置において、近距離通信部が起動され、携帯端末との近距離無線通信が有効にされるので、操作者が携帯端末を第２の画像形成装置にかざすだけで、第２の画像形成装置で印刷を継続して行うことができる。
【００１９】
また、第１の画像形成装置にエラーが発生しなかった場合は、携帯端末との近距離無線通信が有効にされないので、第２の画像形成装置において消費電力が大きくなるのを防止することができる。
【図面の簡単な説明】
【００２０】
【図１】本発明の実施の形態におけるプリンタの制御ブロック図である。
【図２】本発明の実施の形態における画像形成システムを示す図である。
【図３】本発明の実施の形態におけるプリンタのジョブテーブルの例を示す図である。
【図４】本発明の実施の形態における利用可能プリンタリスト記憶部に記録された利用可能プリンタリストの例を示す図である。
【図５】本発明の実施の形態における携帯端末の制御ブロック図である。
【図６】本発明の実施の形態における携帯端末のジョブテーブルの例を示す図である。
【図７】本発明の実施の形態におけるＮＦＣ状態切替部の動作を示すフローチャートである。
【図８】本発明の実施の形態におけるデータ受信部の動作を示す第１のフローチャートである。
【図９】本発明の実施の形態におけるデータ受信部の動作を示す第２のフローチャートである。
【図１０】本発明の実施の形態におけるプリンタエンジン監視部の動作を示すフローチャートである。
【図１１】本発明の実施の形態における代替プリンタ案内画面の例を示す図である。
【図１２】本発明の実施の形態における印刷処理部の動作を示すフローチャートである。
【図１３】本発明の実施の形態におけるＮＦＣ通信部の動作を示すフローチャートである。
【図１４】本発明の実施の形態における携帯端末の制御部の動作を示す第１のフローチャートである。
【図１５】本発明の実施の形態における携帯端末の制御部の動作を示す第２のフローチャートである。
【図１６】本発明の実施の形態におけるジョブ停止画面の例を示す図である。
【図１７】本発明の実施の形態における別プリンタ案内画面の例を示す図である。
【図１８】本発明の実施の形態における再開案内画面の例を示す図である。
【図１９】本発明の実施の形態におけるプリンタにおいてエラーが発生したときに代替プリンタにおいて印刷を行う場合の第１のシーケンス図である。
【図２０】本発明の実施の形態におけるプリンタにおいてエラーが発生したときに代替プリンタにおいて印刷を行う場合の第２のシーケンス図である。
【図２１】本発明の実施の形態におけるプリンタにおいてエラーが発生したときに代替プリンタにおいて印刷を行う場合の第３のシーケンス図である。
【図２２】本発明の実施の形態における操作者が代替プリンタに移動している間にプリンタにおいてエラーが解除された場合の第１のシーケンス図である。
【図２３】本発明の実施の形態における操作者が代替プリンタに移動している間にプリンタにおいてエラーが解除された場合の第２のシーケンス図である。
【図２４】本発明の実施の形態における操作者が代替プリンタに移動している間にプリンタにおいてエラーが解除された場合の第３のシーケンス図である。
【図２５】本発明の実施の形態におけるプリンタにおいて当初からエラーが発生しているときに代替プリンタにおいて印刷を行う場合のシーケンス図である。
【図２６】本発明の実施の形態におけるプリンタにおいて当初からエラーが発生していて操作者が代替プリンタに移動している間にエラーが解除された場合のシーケンス図である。
【発明を実施するための形態】
【００２１】
以下、本発明の実施の形態について図面を参照しながら詳細に説明する。この場合、上位装置としてのホストコンピュータ、携帯端末、及び画像形成装置としての複数のプリンタをネットワークを介して接続することによって形成された画像形成システムについて説明する。
【００２２】
図２は本発明の実施の形態における画像形成システムを示す図である。
【００２３】
図において、１１は上位装置としての、かつ、端末装置としてのホストコンピュータ（パーソナルコンピュータ）、Ｐｔｉ（ｉ＝１、２、３）はプリンタ、Ｎｔ１は、有線ＬＡＮ（Ｌｏｃａｌ  Ａｒｅａ  Ｎｅｔｗｏｒｋ）及び無線ＬＡＮから成り、ホストコンピュータ１１と各プリンタＰｔｉとを接続する通信網としてのネットワーク、Ｐｈはスマートフォンから成る携帯端末、Ｎｔ２は前記プリンタＰｔｉと携帯端末Ｐｈとを接続する近距離無線通信回線である。
【００２４】
前記ホストコンピュータ１１、プリンタＰｔｉ、ネットワークＮｔ１、携帯端末Ｐｈ、近距離無線通信回線Ｎｔ２等によって、画像形成システムＳｙが形成される。なお、本実施の形態においては、プリンタＰｔｉが３〔台〕配設されるが、４〔台〕以上配設することができる。前記画像形成システムＳｙにおいては、前記ホストコンピュータ１１のほかに、他の情報処理装置としてのパソコン、及び他の画像形成装置としての複写機、ファクシミリ、複合機等をネットワークＮｔ１を介して任意に接続することができる。
【００２５】
前記プリンタＰｔｉのうちの所定のプリンタ、本実施の形態においては、プリンタＰｔ１においてエラーが発生すると、プリンタＰｔｉのうちの一つ以上の他のプリンタ、本実施の形態においては、プリンタＰｔ２、Ｐｔ３が代替プリンタとして使用され、プリンタＰｔ２、Ｐｔ３によって印刷を継続して行うことができるようになっている。そこで、プリンタＰｔ１を第１の画像形成装置とし、プリンタＰｔ２、Ｐｔ３を第２の画像形成装置として本発明を説明する。
【００２６】
前記プリンタＰｔｉと携帯端末Ｐｈとは、前記近距離無線通信回線Ｎｔ２によって、近距離無線通信、本実施の形態においては、ＮＦＣ（Ｎｅａｒ  Ｆｉｅｌｄ  Ｃｏｍｍｕｎｉｃａｔｉｏｎ）を行うことができ、そのために、プリンタＰｔｉに装置側の近距離通信部としてのＮＦＣインタフェースＳｐｉ（ｉ＝１、２、３）が、携帯端末Ｐｈに端末側の近距離通信部としてのＮＦＣインタフェースＳｎが配設される。
【００２７】
前記ＮＦＣインタフェースＳｐｉは、図示されない電源装置から選択的に電力が供給されてオン・オフさせられる通信部電源を備え、該通信部電源がオンにされると起動され、携帯端末Ｐｈとの間のＮＦＣを有効にし、通信部電源がオフにされると停止させられ、携帯端末Ｐｈとの間のＮＦＣを無効にする。
【００２８】
なお、ＮＦＣを有効にするためには、操作者が携帯端末ＰｈをプリンタＰｔｉにかざし、携帯端末ＰｈのＮＦＣインタフェースＳｎをプリンタＰｔｉのＮＦＣインタフェースＳｐｉの数〔ｃｍ〕以内に近づける必要がある。
【００２９】
本実施の形態においては、ネットワークＮｔ１として有線ＬＡＮ及び無線ＬＡＮが使用されるが、有線ＬＡＮ及び無線ＬＡＮに代えてインターネット等を使用することができる。また、本実施の形態においては、携帯端末Ｐｈとしてスマートフォンが使用されるが、スマートフォンに代えてタブレット端末等のスマートデバイスを使用することができる。
【００３０】
前記ホストコンピュータ１１は、ホストコンピュータ１１の図示されない記憶部に文書ファイルとして記録された文書の印刷要求を、印刷データ等から成るジョブ（印刷ジョブ）としてプリンタＰｔｉに送信する。また、携帯端末Ｐｈは、携帯端末Ｐｈの図示されない記憶部に文書ファイルとして記録された文書の印刷要求を、印刷データ等から成るジョブとしてプリンタＰｔｉに送信する。プリンタＰｔｉは、ホストコンピュータ１１又は携帯端末Ｐｈからジョブを受信すると、印刷データに基づいて印刷を行う。
【００３１】
次に、各プリンタＰｔｉの制御装置について説明する。
【００３２】
図１は本発明の実施の形態におけるプリンタの制御ブロック図である。
【００３３】
図において、Ｐｔｉはプリンタ、２１は装置制御部としての制御部、２３は第１の装置記憶部としてのＲＡＭ（Ｒａｎｄｏｍ  Ａｃｃｅｓｓ  Ｍｅｍｏｒｙ）、２４は不揮発性のメモリから成る第２の装置記憶部としてのフラッシュメモリ、２５は印刷部としてのプリンタエンジン、２８は操作・表示部としての操作パネル、２９は計時装置としてのＲＴＣ（Ｒｅａｌ  Ｔｉｍｅ  Ｃｌｏｃｋ）、３１はプリンタＰｔｉを有線ＬＡＮに接続するための第１の装置側のネットワーク通信部としてのＮＩＣ（Ｎｅｔｗｏｒｋ  Ｉｎｔｅｒｆａｃｅ  Ｃａｒｄ）、ＳｐｉはプリンタＰｔｉを近距離無線通信回線Ｎｔ２に接続するためのＮＦＣインタフェース（ＮＦＣ  ＩＦ）、３３はプリンタＰｔｉを無線ＬＡＮに接続するための第２の装置側のネットワーク通信部としてのＷｉ−Ｆｉ（登録商標）インタフェース（Ｗｉ−Ｆｉ  ＩＦ）である。
【００３４】
前記制御部２１は、システムバスＢｓ１を介して、プリンタエンジン２５、操作パネル２８及びＲＴＣ２９と接続され、システムバスＢｓ２を介してＲＡＭ２３と接続され、システムバスＢｓ３を介して、フラッシュメモリ２４、ＮＩＣ３１、ＮＦＣインタフェースＳｐｉ及びＷｉ−Ｆｉ（登録商標）インタフェース３３と接続される。
【００３５】
また、前記制御部２１は、図示されないＣＰＵ（中央処理装置）及び第３の装置記憶部としてのＲＯＭ（Ｒｅａｄ  Ｏｎｌｙ  Ｍｅｍｏｒｙ）を備え、ＲＴＣ２９から現在時刻を取得し、ＲＯＭに記録されたプログラムを実行することによって、近距離無線通信状態切替部としてのＮＦＣ状態切替部Ｐｒ１、データ受信部Ｐｒ２、監視部としてのプリンタエンジン監視部Ｐｒ３、印刷処理部Ｐｒ４、近距離無線通信処理部としてのＮＦＣ通信処理部Ｐｒ５等の各処理を行う。
【００３６】
前記プリンタエンジン２５は、ホストコンピュータ１１及び携帯端末Ｐｈから受信した印刷ジョブの印刷データに基づいて、媒体としての図示されない用紙に画像を形成し、印刷を行う。
【００３７】
前記操作パネル２８は、プリンタＰｔｉの状態を表示するためのＬＥＤ画面等から成る図示されない表示部、及び操作者がプリンタＰｔｉへの指示を入力するためのスイッチ、キー等から成る図示されない操作部を備える。なお、操作パネル２８がタッチパネルによって形成されている場合、表示部は操作部としても機能する。
【００３８】
前記ＲＴＣ２９は現在時刻を計時する。
【００３９】
前記ＲＡＭ２３は、制御部２１が各プログラムを実行する際にワークエリア及びバッファとして機能し、作業用のデータ、画像データ等を一時的に記録する。また、ＲＡＭ２３は、ジョブテーブルＴｂ１、誘導先画像形成装置記憶部としての誘導先プリンタ記憶部Ｍｅ１、エラー発生指標としてのエラー発生フラグＦｇ１、近距離無線通信一時有効指標としてのＮＦＣ一時有効フラグＦｇ２、近距離無線通信一時有効化時刻記憶部としてのＮＦＣ一時有効化時刻記憶部Ｍｅ２、利用可能画像形成装置リスト記憶部としての利用可能プリンタリスト記憶部Ｍｅ３、エラー解除時刻記憶部Ｍｅ４、近距離無線通信一時有効化指示中指標としてのＮＦＣ一時有効化指示中フラグＦｇ３等を備える。
【００４０】
そして、前記フラッシュメモリ２４は、ホスト名記憶部Ｍｆ１、無線ＬＡＮ設定記憶部としてのＷｉ−Ｆｉ（登録商標）情報記憶部Ｍｆ２、近距離無線通信設定記憶部としてのＮＦＣ設定記憶部Ｍｆ３等を備える。
【００４１】
前記ＮＦＣインタフェースＳｐｉは、電源がオンにされ、ＮＦＣインタフェースＳｐｉ自体が利用可能になると、ＮＦＣを有効にし、電源がオフにされ、ＮＦＣインタフェースＳｐｉ自体が利用不可能になると、ＮＦＣを無効にする。
【００４２】
ＮＦＣが有効である場合、操作者が携帯端末ＰｈをプリンタＰｔｉにかざすと、携帯端末ＰｈとプリンタＰｔｉとの間でＮＦＣを行うことができ、ＮＦＣが無効である場合、操作者が携帯端末ＰｈをプリンタＰｔｉにかざしても、携帯端末ＰｈとプリンタＰｔｉとの間でＮＦＣを行うことができない。
【００４３】
前記Ｗｉ−Ｆｉ（登録商標）インタフェース３３は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の規格である８０２．１１に基づいて無線ＬＡＮの通信を行う。
【００４４】
前記制御部２１において、ＮＦＣ状態切替部Ｐｒ１は、近距離無線通信状態切替処理としてのＮＦＣ状態切替処理を行い、ＮＦＣインタフェースＳｐｉの電源をオンにしてＮＦＣインタフェースＳｐｉを起動したり、ＮＦＣインタフェースＳｐｉの電源をオフにしてＮＦＣインタフェースＳｐｉを停止させたりして、ＮＦＣを有効にしたり、無効にしたりする。
【００４５】
データ受信部Ｐｒ２は、ネットワーク受信処理を行い、ＮＩＣ３１、Ｗｉ−Ｆｉ（登録商標）インタフェース３３を介してジョブを受信し、ジョブの内容に応じた処理を行う。
【００４６】
プリンタエンジン監視部Ｐｒ３は、プリンタエンジン監視処理を行い、プリンタＰｔｉにおいてエラーが発生したかどうか、及びエラーが解除されたかどうかを判断する。例えば、プリンタエンジン２５には、現像剤収容部としての図示されないトナーカートリッジが配設され、該トナーカートリッジに消耗品としての、かつ、現像剤としてのトナーが収容されるようになっていて、トナーカートリッジ内のトナーがなくなり、トナーカートリッジが空になると、トナーカートリッジが交換される。このとき、トナーカートリッジを交換するためにプリンタＰｔｉのカバーが開かれると、エラーが発生し、カバーが閉じられると、エラーが解除される。
【００４７】
そして、プリンタエンジン監視部Ｐｒ３は、プリンタＰｔｉにおいてエラーが発生すると、ネットワークＮｔ１上の他のプリンタに、ＮＦＣインタフェースＳｐｉを起動して、ＮＦＣを一時的に有効にするための指示、すなわち、第１の指示情報としての、かつ、近距離無線通信一時有効化指示としてのＮＦＣ一時有効化指示を送信したり、ＮＦＣインタフェースＳｐｉを停止させて、ＮＦＣを無効にするための指示、すなわち、第２の指示情報としての、かつ、近距離無線通信一時有効化解除指示としてのＮＦＣ一時有効化解除指示を送信したりする。
【００４８】
印刷処理部Ｐｒ４は、印刷処理を行い、プリンタエンジン２５を駆動して印刷を行う。
【００４９】
ＮＦＣ通信処理部Ｐｒ５は、ＮＦＣ通信処理を行い、ＮＦＣインタフェースＳｐｉを介して携帯端末Ｐｈとの間で通信を行う。
【００５０】
ＲＡＭ２３において、ジョブテーブルＴｂ１には、ホストコンピュータ１１及び携帯端末Ｐｈから受信したジョブに関する情報が記録される。
【００５１】
誘導先プリンタ記憶部Ｍｅ１には、プリンタＰｔｉにおいてエラーが解除されたときに、操作者をエラーが解除されたプリンタＰｔｉに誘導するための誘導先画像形成装置としての誘導先プリンタのホスト名が記録される。
【００５２】
エラー発生フラグＦｇ１は、プリンタＰｔｉにエラーが発生しているかどうかを示すフラグであり、プリンタＰｔｉにエラーが発生すると、オンにされ、プリンタＰｔｉのエラーが解除されると、オフにされる。
【００５３】
ＮＦＣ一時有効フラグＦｇ２は、ＮＦＣインタフェースＳｐｉを起動してＮＦＣを一時的に有効にするためのフラグであり、ＮＦＣが一時的に有効にされると、オンにされ、ＮＦＣが無効にされると、オフにされる。
【００５４】
ＮＦＣ一時有効化時刻記憶部Ｍｅ２には、ＮＦＣ一時有効化時刻、すなわち、ＮＦＣが一時的に有効にされた時刻が記録される。
【００５５】
利用可能プリンタリスト記憶部Ｍｅ３には、ネットワークＮｔ１に接続されているプリンタＰｔｉのうちの、印刷を行うために利用可能なプリンタのリスト（一覧）が記録される。
【００５６】
エラー解除時刻記憶部Ｍｅ４には、発生したエラーが解除された時刻が記録される。
【００５７】
ＮＦＣ一時有効化指示中フラグＦｇ３は、プリンタエンジン監視部Ｐｒ３が、ネットワークＮｔ１に接続されている他のプリンタに、ＮＦＣ一時有効化指示を送信したかどうかを示すフラグであり、他のプリンタにＮＦＣ一時有効化指示を送信した場合にオンにされ、他のプリンタにＮＦＣ一時有効化指示を送信していない場合にオフにされる。
【００５８】
また、フラッシュメモリ２４において、ホスト名記憶部Ｍｆ１には、自機（自分自身のプリンタ）をネットワークＮｔ１上で識別するためのプリンタの名前が記録される。操作者は、操作パネル２８の操作部を操作して、任意の文字列でホスト名を設定し、ホスト名記憶部Ｍｆ１に記録することができる。本実施の形態においては、プリンタＰｔ１のホスト名は「ｐｒｉｎｔｅｒ１０１」にされ、プリンタＰｔ２のホスト名は「ｐｒｉｎｔｅｒ１０２」にされ、プリンタＰｔ３のホスト名は「ｐｒｉｎｔｅｒ１０３」にされる。
【００５９】
Ｗｉ−Ｆｉ（登録商標）情報記憶部Ｍｆ２には、携帯端末Ｐｈと自機とをＷｉ−Ｆｉ（登録商標）で接続するために必要な識別番号であるＳＳＩＤ（Ｓｅｒｖｉｃｅ  Ｓｅｔ  Ｉｄｅｎｔｉｆｉｅｒ）等のＷｉ−Ｆｉ（登録商標）情報が記録される。なお、Ｗｉ−Ｆｉ（登録商標）情報は、操作者が操作パネル２８の操作部を操作することによって任意に設定することができる。
【００６０】
ＮＦＣ設定記憶部Ｍｆ３には、ＮＦＣを有効にするか無効にするかを表す設定値であるＮＦＣ設定がオン又はオフで記録される。前記ＮＦＣ設定は、操作者が操作パネル２８の操作部を操作することによって任意に設定することができる。なお、本実施の形態において、ＮＦＣ設定は、プリンタＰｔ１においてあらかじめオンにされ、プリンタＰｔ２、Ｐｔ３においてあらかじめオフにされる。
【００６１】
次に、前記ジョブテーブルＴｂ１について説明する。
【００６２】
図３は本発明の実施の形態におけるプリンタのジョブテーブルの例を示す図である。
【００６３】
ジョブテーブルＴｂ１には、ホストコンピュータ１１及び携帯端末Ｐｈから受信した各ジョブが１レコード（１行）として記録される。
【００６４】
ジョブＩＤはジョブを識別するための識別番号である。
【００６５】
ジョブ名は、操作者にとってジョブを識別しやすくするための名称である。
【００６６】
画像データアドレスは、各ジョブの画像データが記録されたＲＡＭ２３上のアドレスである。
【００６７】
総ページ数は各ジョブのページ数である。
【００６８】
印刷済ページ数は、ジョブについて既に印刷が行われたページ数である。
【００６９】
次に、利用可能プリンタリスト記憶部Ｍｅ３について説明する。
【００７０】
図４は本発明の実施の形態における利用可能プリンタリスト記憶部に記録された利用可能プリンタリストの例を示す図である。
【００７１】
利用可能プリンタリストには、利用可能なプリンタのホスト名が列挙される。ホスト名は、ネットワークＮｔ１上でプリンタＰｔｉを識別するための名称である。
【００７２】
次に、携帯端末Ｐｈについて説明する。
【００７３】
図５は本発明の実施の形態における携帯端末の制御ブロック図である。
【００７４】
図において、Ｐｈは携帯端末、４１は端末制御部としての制御部、４３は第１の端末記憶部としてのＲＡＭ、４４は不揮発性のメモリから成る第２の端末記憶部としてのフラッシュメモリ、４８は操作・表示部としてのタッチパネル、Ｓｎは携帯端末Ｐｈを近距離無線通信回線Ｎｔ２に接続するためのＮＦＣインタフェース（ＮＦＣ  ＩＦ）、５３は携帯端末Ｐｈを無線ＬＡＮに接続するための端末側のネットワーク通信部としてのＷｉ−Ｆｉ（登録商標）インタフェース（Ｗｉ−Ｆｉ（登録商標）  ＩＦ）である。
【００７５】
前記制御部４１は、システムバスＢｓ１１を介してＲＡＭ４３、タッチパネル４８、ＮＦＣインタフェースＳｎ及びＷｉ−Ｆｉ（登録商標）インタフェース５３と接続され、システムバスＢｓ１２を介してフラッシュメモリ４４と接続される。
【００７６】
また、前記制御部４１は、図示されないＣＰＵを備え、フラッシュメモリ４４に記録されたプログラムを実行することによって各種の処理を行う。
【００７７】
前記タッチパネル４８は、携帯端末Ｐｈの状態を表示するための表示部として機能するとともに、操作者が携帯端末Ｐｈへの指示を入力するための操作部として機能する。
【００７８】
前記ＲＡＭ４３は、制御部４１が各プログラムを実行する際にワークエリア及びバッファとして機能し、作業用のデータ等を一時的に記録する。また、ＲＡＭ４３は、ジョブテーブルＴｂ１１及び利用可能画像形成装置リスト記憶部としての利用可能プリンタリスト記憶部Ｍｅ１１を備える。
【００７９】
前記フラッシュメモリ４４には、制御部４１によって実行されるプログラムが記録されるほかに、オペレーティングシステムＯＳ、印刷アプリケーションＡｐ等が記録される。
【００８０】
前記ＮＦＣインタフェースＳｎはプリンタＰｔｉとの間でＮＦＣを行う。
【００８１】
前記Ｗｉ−Ｆｉ（登録商標）インタフェース５３は、Ｗｉ−Ｆｉ（登録商標）が使用される場合に、携帯端末ＰｈをＷｉ−Ｆｉ（登録商標）に接続し、ＩＥＥＥの規格である８０２．１１に基づいて無線ＬＡＮ通信を行う。
【００８２】
前記ＲＡＭ４３において、ジョブテーブルＴｂ１１には、プリンタＰｔｉに送信される、印刷の対象であるジョブについての情報が記録される。
【００８３】
前記利用可能プリンタリスト記憶部Ｍｅ１１には、各プリンタＰｔｉのうちの利用可能なプリンタのホスト名が記録される。
【００８４】
また、前記フラッシュメモリ４４において、オペレーティングシステムＯＳは、携帯端末ＰｈのＲＡＭ４３等の各ハードウェアの制御を行い、印刷アプリケーションＡｐに対してハードウェアへのアクセスを提供するプラットフォームとなる。
【００８５】
印刷アプリケーションＡｐは、携帯端末ＰｈによってプリンタＰｔｉにおける各種の処理を行わせるためのプログラムである。
【００８６】
次に、前記ジョブテーブルＴｂ１１について説明する。
【００８７】
図６は本発明の実施の形態における携帯端末のジョブテーブルの例を示す図である。
【００８８】
ジョブテーブルＴｂ１１には、プリンタＰｔｉに送信した各ジョブが１レコード（１行）として記録される。
【００８９】
印刷中ホスト名には、ジョブが送信され、ジョブについて印刷が行われているプリンタのホスト名が表示され、例えば、プリンタＰｔ１にジョブが送信され、ジョブについて印刷が行われている場合、印刷中ホスト名は「ｐｒｉｎｔｅｒ１０１」である。
【００９０】
ジョブＩＤはジョブを識別するための識別番号である。
【００９１】
ジョブ名は、操作者にとってジョブを識別しやすくするための名称である。
【００９２】
総ページ数は各ジョブのページ数である。
【００９３】
印刷済ページ数は、ジョブが送信されたプリンタにおいて既に印刷が行われたページ数である。
【００９４】
次に、各プリンタＰｔｉの動作について説明する。この場合、携帯端末Ｐｈからジョブを受信し、ジョブについて印刷を行っているプリンタＰｔ１においてエラーが発生し、操作者が他のプリンタＰｔ２、Ｐｔ３を代替プリンタとして使用し、継続して印刷を行う場合のプリンタＰｔｉの動作について説明する。
【００９５】
操作者がプリンタＰｔｉの電源をオンにすると、プリンタＰｔｉの制御部２１において、ＮＦＣ状態切替部Ｐｒ１、データ受信部Ｐｒ２、プリンタエンジン監視部Ｐｒ３、印刷処理部Ｐｒ４及びＮＦＣ通信処理部Ｐｒ５の動作が開始され、操作者がプリンタＰｔｉの電源をオフにするまで、ＮＦＣ状態切替処理、ネットワーク受信処理、プリンタエンジン監視処理、印刷処理及びＮＦＣ通信処理の各処理が繰り返し行われる。なお、ＣＰＵに加わる負荷を小さくするために、各処理が終了するたびに、所定の時間、本実施の形態においては、１〔秒〕が経過するまで一時的に各処理の開始が停止され、１〔秒〕が経過すると、再び処理が開始される。
【００９６】
まず、ＮＦＣ状態切替部Ｐｒ１の動作について説明する。
【００９７】
図７は本発明の実施の形態におけるＮＦＣ状態切替部の動作を示すフローチャートである。
【００９８】
まず、ＮＦＣ状態切替部Ｐｒ１は、フラッシュメモリ２４のＮＦＣ設定記憶部Ｍｆ３を参照し、ＮＦＣ設定がオンであるかどうかを判断する。
【００９９】
ＮＦＣ設定がオンである場合、ＮＦＣ状態切替部Ｐｒ１は、ＮＦＣインタフェースＳｐｉの通信部電源をオンにし、ＮＦＣインタフェースＳｐ１を起動することによって、ＮＦＣを有効にする。
【０１００】
ＮＦＣ設定がオンでない（オフである）場合、ＮＦＣ状態切替部Ｐｒ１は、ＲＡＭ２３のＮＦＣ一時有効フラグＦｇ２がオンであるかどうかを判断し、ＮＦＣ一時有効フラグＦｇ２がオンである場合、ＮＦＣ一時有効化時刻記憶部Ｍｅ２からＮＦＣが一時的に有効にされた時刻を読み出すとともに、ＲＴＣ２９から現在時刻を読み込み、ＮＦＣが一時的に有効にされてから現在までに所定の時間、本実施の形態においては、５〔分〕経過したかどうかによって、ＮＦＣの一時的な有効化がタイムアウトしたかどうかを判断する。
【０１０１】
ＮＦＣが一時的に有効にされてから現在までに５〔分〕経過し、ＮＦＣの一時的な有効化がタイムアウトした場合、ＮＦＣ状態切替部Ｐｒ１は、ＮＦＣ一時有効フラグＦｇ２をオフにし、ＮＦＣインタフェースＳｐｉの通信部電源をオフにし、ＮＦＣインタフェースＳｐ１を停止させ、ＮＦＣを無効にする。
【０１０２】
また、ＮＦＣ一時有効フラグＦｇ２がオフである場合、ＮＦＣ状態切替部Ｐｒ１は、ＮＦＣインタフェースＳｐ１の通信部電源をオフにし、ＮＦＣインタフェースＳｐ１を停止させ、ＮＦＣを無効にする。
【０１０３】
例えば、プリンタＰｔ１において発生したエラーが解除されたときに、ネットワークＮｔ１にエラーが発生してネットワークＮｔ１が正常に機能しないと、ＮＦＣ一時有効化解除指示を受信することができなくなることがあり、その場合、ＮＦＣが有効にされたままになり、プリンタＰｔ２、Ｐｔ３の消費電力が大きくなってしまう。本実施の形態においては、ＮＦＣが一時的に有効にされてから現在までに５〔分〕経過すると、ＮＦＣ一時有効化解除指示を受信しなくても、ＮＦＣが無効にされるので、プリンタＰｔ２、Ｐｔ３の消費電力が大きくなるのを防止することができる。
【０１０４】
次に、フローチャートについて説明する。
ステップＳ１  ＮＦＣ状態切替部Ｐｒ１はＮＦＣ設定がオンであるかどうかを判断する。ＮＦＣ設定がオンである場合はステップＳ２に進み、ＮＦＣ設定がオンでない場合はステップＳ３に進む。
ステップＳ２  ＮＦＣ状態切替部Ｐｒ１はＮＦＣを有効にし、ステップＳ１に戻る。
ステップＳ３  ＮＦＣ状態切替部Ｐｒ１はＮＦＣ一時有効フラグＦｇ２がオンであるかどうかを判断する。ＮＦＣ一時有効フラグＦｇ２がオンである場合はステップＳ４に進み、ＮＦＣ一時有効フラグＦｇ２がオンでない場合はステップＳ６に進む。
ステップＳ４  ＮＦＣ状態切替部Ｐｒ１はＮＦＣの一時的な有効化がタイムアウトしたかどうかを判断する。ＮＦＣの一時的な有効化がタイムアウトした場合はステップＳ５に進み、ＮＦＣの一時的な有効化がタイムアウトしていない場合はステップＳ２に進む。
ステップＳ５  ＮＦＣ状態切替部Ｐｒ１はＮＦＣ一時有効フラグＦｇ２をオフにする。
ステップＳ６  ＮＦＣ状態切替部Ｐｒ１はＮＦＣを無効にし、ステップＳ１に戻る。
【０１０５】
次に、データ受信部Ｐｒ２の動作について説明する。
【０１０６】
図８は本発明の実施の形態におけるデータ受信部の動作を示す第１のフローチャート、図９は本発明の実施の形態におけるデータ受信部の動作を示す第２のフローチャートである。
【０１０７】
この場合、データ受信部Ｐｒ２は、ジョブ、停止中ジョブ削除指示、ジョブ状態要求、ＮＦＣ一時有効化指示、ＮＦＣ一時有効化解除指示、誘導先画像形成装置設定指示としての誘導先プリンタ設定指示等の各データを受信するのを待機し、データを受信すると、データに対応する処理を行う。
【０１０８】
まず、プリンタＰｔ１において、データ受信部Ｐｒ２は、携帯端末Ｐｈからジョブを受信したかどうかを判断し、ジョブを受信した場合、該ジョブの画像データをＲＡＭ２３の図示されない画像データ記憶部に記録するとともに、ジョブＩＤを採番し、ジョブＩＤ、ジョブ名、画像データアドレス、総ページ数、印刷済ページ数等のジョブ情報をジョブテーブルＴｂ１に記録することによってジョブを登録する。そして、データ受信部Ｐｒ２は、ジョブの受信の応答としてジョブＩＤを携帯端末Ｐｈに送信する。なお、ジョブテーブルＴｂ１に他のジョブのジョブ情報が記録されている場合、新たなジョブのジョブ情報はジョブテーブルＴｂ１の末尾に記録される。
【０１０９】
また、プリンタＰｔ１において、データ受信部Ｐｒ２は、携帯端末Ｐｈ又はプリンタＰｔ２、Ｐｔ３から停止中ジョブ削除指示を受信したかどうかを判断する。該停止中ジョブ削除指示は、印刷を停止していて、削除の対象となるジョブを保有しているプリンタＰｔ１のホスト名、及び削除の対象となるジョブを識別するジョブＩＤから成る。
【０１１０】
停止中ジョブ削除指示を受信すると、データ受信部Ｐｒ２は、停止中ジョブ削除指示に含まれるホスト名が自機のホスト名であるかどうかによって、削除の対象となるジョブが自機のジョブであるかどうかを判断する。停止中ジョブ削除指示に含まれるホスト名が自機のホスト名であり、削除の対象となるジョブが自機のジョブである場合、データ受信部Ｐｒ２は、ジョブテーブルＴｂ１に該当するジョブ、すなわち、該当ジョブがあるかどうかを判断し、ジョブテーブルＴｂ１に該当ジョブがある場合、ＲＡＭ２３のエラー発生フラグＦｇ１がオンであるかどうかを判断する。そして、エラー発生フラグＦｇ１がオンである場合、データ受信部Ｐｒ２は、ＲＡＭ２３に記録された該当ジョブの画像データ、及びジョブテーブルＴｂ１に記録されたジョブ情報を削除する。前記ジョブテーブルＴｂ１において、前記該当ジョブが削除されると、該当ジョブ以降のジョブが繰り上がる（第１行のジョブが削除されると、第２行のジョブが第１行に繰り上がる）。続いて、前記データ受信部Ｐｒ２は、携帯端末Ｐｈ又はプリンタＰｔ２、Ｐｔ３に肯定応答を送信する。
【０１１１】
また、ジョブテーブルＴｂ１に該当ジョブがない場合、及びジョブテーブルＴｂ１に該当ジョブがあるが、エラー発生フラグＦｇ１がオンでない（オフである）場合、前記データ受信部Ｐｒ２は、携帯端末Ｐｈ又はプリンタＰｔ２、Ｐｔ３に否定応答を送信する。
【０１１２】
一方、前記停止中ジョブ削除指示に含まれるホスト名が自機のホスト名でなく、削除の対象となるジョブが自機のジョブでない場合、データ受信部Ｐｒ２は、停止中ジョブ削除指示に含まれるホスト名のプリンタに停止中ジョブ削除指示を転送する。そして、プリンタＰｔ１において、停止中ジョブ削除指示を転送したプリンタから応答（肯定応答又は否定応答）を受信すると、データ受信部Ｐｒ２は前記応答を携帯端末Ｐｈ又はプリンタＰｔ２、Ｐｔ３に転送する。
【０１１３】
また、プリンタＰｔ１において、データ受信部Ｐｒ２は、携帯端末Ｐｈからジョブ状態要求を受信したかどうかを判断する。
【０１１４】
この場合、ジョブ状態要求は、自機にエラーが発生しているかどうか、すなわち、自機がエラー発生中であるかどうかを表す自機の状態、及び要求の対象となるジョブを識別するジョブＩＤから成る。
【０１１５】
ジョブ状態要求を受信した場合、前記データ受信部Ｐｒ２は、ＲＡＭ２３からエラー発生フラグＦｇ１、ジョブテーブルＴｂ１に記録されたジョブＩＤのジョブ情報、及び利用可能プリンタリスト記憶部Ｍｅ３に記録された利用可能なプリンタを読み出し、エラー発生フラグＦｇ１、ジョブ情報及び利用可能なプリンタをジョブ状態情報として携帯端末Ｐｈに送信する。
【０１１６】
また、プリンタＰｔ２、Ｐｔ３において、データ受信部Ｐｒ２は、プリンタＰｔ１からＮＦＣ一時有効化指示を受信したかどうかを判断する。ＮＦＣ一時有効化指示を受信した場合、データ受信部Ｐｒ２は、ＲＡＭ２３のＮＦＣ一時有効フラグＦｇ２をオンにし、ＲＴＣ２９から現在時刻を読み込み、ＮＦＣ一時有効化時刻記憶部Ｍｅ２に記録する。
【０１１７】
ところで、前述されたように、エラーが解除されてから５〔分〕経過すると、プリンタＰｔ２、Ｐｔ３においてＮＦＣが無効にされ、操作者を誘導先プリンタに誘導することはできない。そこで、エラーが解除されてから５〔分〕経過した後で、プリンタＰｔ２、Ｐｔ３において、データ受信部Ｐｒ２は、プリンタＰｔ１からＮＦＣ一時有効化解除指示を受信したかどうかを判断し、ＮＦＣ一時有効化解除指示を受信した場合、ＲＡＭ２３のＮＦＣ一時有効フラグＦｇ２をオフにし、誘導先プリンタ記憶部Ｍｅ１に記録された誘導先プリンタを削除する。
【０１１８】
また、プリンタＰｔ２、Ｐｔ３において、データ受信部Ｐｒ２は、エラーが解除されたプリンタＰｔ１から誘導先プリンタ設定指示を受信したかどうかを判断する。誘導先プリンタ設定指示を受信した場合、データ受信部Ｐｒ２は、誘導先プリンタ設定指示に含まれるホスト名のプリンタＰｔ１を誘導先プリンタとしてＲＡＭ２３の誘導先プリンタ記憶部Ｍｅ１に記録する。
【０１１９】
次に、フローチャートについて説明する。
ステップＳ１１  データ受信部Ｐｒ２は携帯端末Ｐｈからジョブを受信したかどうかを判断する。携帯端末Ｐｈからジョブを受信した場合はステップＳ１２に進み、携帯端末Ｐｈからジョブを受信しなかった場合はステップＳ１３に進む。
ステップＳ１２  データ受信部Ｐｒ２はジョブテーブルＴｂ１にジョブを登録し、ステップＳ１１に戻る。
ステップＳ１３  データ受信部Ｐｒ２は携帯端末Ｐｈ又はプリンタＰｔ２、Ｐｔ３から停止中ジョブ削除指示を受信したかどうかを判断する。携帯端末Ｐｈ又はプリンタＰｔ２、Ｐｔ３から停止中ジョブ削除指示を受信した場合はステップＳ１４に進み、携帯端末Ｐｈ又はプリンタＰｔ２、Ｐｔ３から停止中ジョブ削除指示を受信しなかった場合はステップＳ２２に進む。
ステップＳ１４  データ受信部Ｐｒ２は自機のジョブであるかどうかを判断する。自機のジョブである場合はステップＳ１５に進み、自機のジョブでない場合はステップＳ２０に進む。
ステップＳ１５  データ受信部Ｐｒ２はジョブテーブルＴｂ１に該当ジョブがあるかどうかを判断する。ジョブテーブルＴｂ１に該当ジョブがある場合はステップＳ１６に進み、ジョブテーブルＴｂ１に該当ジョブがない場合はステップＳ１９に進む。
ステップＳ１６  データ受信部Ｐｒ２はエラー発生フラグＦｇ１がオンであるかどうかを判断する。エラー発生フラグＦｇ１がオンである場合はステップＳ１７に進み、エラー発生フラグＦｇ１がオンでない場合はステップＳ１９に進む。
ステップＳ１７  データ受信部Ｐｒ２は該当ジョブを削除する。
ステップＳ１８  データ受信部Ｐｒ２は携帯端末Ｐｈ又はプリンタＰｔ２、Ｐｔ３に肯定応答を送信し、ステップＳ１１に戻る。
ステップＳ１９  データ受信部Ｐｒ２は携帯端末Ｐｈ又はプリンタＰｔ２、Ｐｔ３に否定応答を送信し、ステップＳ１１に戻る。
ステップＳ２０  データ受信部Ｐｒ２は停止中ジョブ削除指示を転送する。
ステップＳ２１  データ受信部Ｐｒ２は応答を転送し、ステップＳ１１に戻る。
ステップＳ２２  データ受信部Ｐｒ２はジョブ状態要求を受信したかどうかを判断する。ジョブ状態要求を受信した場合はステップＳ２３に進み、ジョブ状態要求を受信しなかった場合はステップＳ２４に進む。
ステップＳ２３  データ受信部Ｐｒ２はジョブ状態情報を携帯端末Ｐｈ送信し、ステップＳ１１に戻る。
ステップＳ２４  データ受信部Ｐｒ２はプリンタＰｔ１からＮＦＣ一時有効化指示を受信したかどうかを判断する。プリンタＰｔ１からＮＦＣ一時有効化指示を受信した場合はステップＳ２５に進み、プリンタＰｔ１からＮＦＣ一時有効化指示を受信しなかった場合はステップＳ２７に進む。
ステップＳ２５  データ受信部Ｐｒ２はＮＦＣ一時有効フラグＦｇ２をオンにする。
ステップＳ２６  データ受信部Ｐｒ２は現在時刻をＮＦＣ一時有効化時刻記憶部Ｍｅ２に記録し、ステップＳ１１に戻る。
ステップＳ２７  データ受信部Ｐｒ２はＮＦＣ一時有効化解除指示を受信したかどうかを判断する。ＮＦＣ一時有効化解除指示を受信した場合はステップＳ２８に進み、ＮＦＣ一時有効化解除指示を受信しなかった場合はステップＳ３０に進む。
ステップＳ２８  データ受信部Ｐｒ２はＮＦＣ一時有効フラグＦｇ２をオフにする。
ステップＳ２９  データ受信部Ｐｒ２は誘導先プリンタを削除し、ステップＳ１１に戻る。
ステップＳ３０  データ受信部Ｐｒ２はプリンタＰｔ１から誘導先プリンタ設定指示を受信したかどうかを判断する。プリンタＰｔ１から誘導先プリンタ設定指示を受信した場合はステップＳ３１に進み、プリンタＰｔ１から誘導先プリンタ設定指示を受信しなかった場合はステップＳ１１に戻る。
ステップＳ３１  データ受信部Ｐｒ２は誘導先プリンタを誘導先プリンタ記憶部Ｍｅ１に記録し、ステップＳ１１に戻る。
【０１２０】
次に、プリンタエンジン監視部Ｐｒ３の動作について説明する。
【０１２１】
図１０は本発明の実施の形態におけるプリンタエンジン監視部の動作を示すフローチャート、図１１は本発明の実施の形態における代替プリンタ案内画面の例を示す図である。
【０１２２】
まず、プリンタエンジン監視部Ｐｒ３は、プリンタＰｔ１（例えば、プリンタエンジン２５）においてエラーが発生したかどうかを判断する。プリンタＰｔ１においてエラーが発生した場合、プリンタエンジン監視部Ｐｒ３は、ＲＡＭ２３のエラー発生フラグＦｇ１をオンにする。続いて、プリンタエンジン監視部Ｐｒ３は、フラッシュメモリ２４のＮＦＣ設定記憶部Ｍｆ３を参照し、ＮＦＣ設定がオンであるかどうかを判断する。ＮＦＣ設定がオンでない（オフである）場合、プリンタエンジン監視部Ｐｒ３は、所定の時間、本実施の形態においては、１〔秒〕が経過するまで一時的に動作を停止し、１〔秒〕が経過すると、再びプリンタＰｔ１においてエラーが発生したかどうかを判断する。
【０１２３】
一方、ＮＦＣ設定がオンである場合、プリンタエンジン監視部Ｐｒ３は、ネットワークＮｔ１（図２）に接続されたプリンタＰｔｉのうちの利用可能なプリンタを検索する。そのために、プリンタエンジン監視部Ｐｒ３は、ＲＡＭ２３の利用可能プリンタリスト記憶部Ｍｅ３に記録された利用可能なプリンタを削除し、利用可能問合せをブロードキャストによってＮＩＣ３１を介してネットワークＮｔ１に接続されたプリンタＰｔｉに送信する。
【０１２４】
前記利用可能問合せを受信したプリンタは、ＲＡＭ２３のエラー発生フラグＦｇ１がオンであるかどうかを判断し、オンでない場合、前記利用可能問合せに対して利用可能の旨を示す肯定応答（プリンタ自体のホスト名を含む。）を利用可能問合せの送信元のプリンタＰｔ１に送信する。なお、利用可能問合せを受信したプリンタのうちの、エラー発生フラグＦｇ１がオンであるプリンタは、肯定応答を送信しない。
【０１２５】
プリンタＰｔ１において、プリンタエンジン監視部Ｐｒ３は、利用可能問合せをブロードキャストによってネットワークＮｔ１に接続されたプリンタＰｔｉに送信した後、所定の時間、本実施の形態においては、３〔秒〕が経過するまでに肯定応答を受信したプリンタのホスト名を利用可能プリンタリスト記憶部Ｍｅ３に記録する。
【０１２６】
続いて、プリンタエンジン監視部Ｐｒ３は、利用可能プリンタリスト記憶部Ｍｅ３に記録されたプリンタ、本実施の形態においては、プリンタＰｔ２、Ｐｔ３に、ＮＩＣ３１を介してＮＦＣ一時有効化指示を送信するとともに、ＲＡＭ２３のＮＦＣ一時有効化指示中フラグＦｇ３をオンにし、エラー解除時刻記憶部Ｍｅ４に記録されているエラー解除時刻に任意の値、例えば、−１をセットし、操作パネル２８の表示部に、図１１に示されるような代替プリンタ案内画面ｄｓ１を形成し、該代替プリンタ案内画面ｄｓ１に、「エラーが発生しました。エラーを解除してください。代わりに「ｐｒｉｎｔｅｒ１０２」、「ｐｒｉｎｔｅｒ１０３」に携帯端末をかざして印刷を継続することができます。」等の、操作者に自機で発生したエラーの解除を促すとともに、プリンタＰｔ２、Ｐｔ３のホスト名を表示して、プリンタＰｔ２、Ｐｔ３に携帯端末Ｐｈをかざして印刷を継続することができる旨を通知するメッセージｍ１を表示する。
【０１２７】
一方、プリンタＰｔ１においてエラーが発生しなかった場合、プリンタエンジン監視部Ｐｒ３は、ＲＡＭ２３のエラー発生フラグＦｇ１をオフにし、ＮＦＣ一時有効化指示中フラグＦｇ３がオンであるかどうかを判断し、ＮＦＣ一時有効化指示中フラグＦｇ３がオンでない（オフである）場合、１〔秒〕が経過するまで一時的に動作を停止し、１〔秒〕が経過すると、再びプリンタＰｔ１においてエラーが発生したかどうかを判断する。
【０１２８】
一方、ＮＦＣ一時有効化指示中フラグＦｇ３がオンである場合、エラーが解除されたことが分かるので、プリンタエンジン監視部Ｐｒ３は、エラー解除時刻記憶部Ｍｅ４に記録されているエラー解除時刻が−１であるかどうかを判断し、エラー解除時刻が−１である場合、ＲＴＣ２９から現在時刻を読み込み、エラー解除時刻記憶部Ｍｅ４に現在時刻を記録する。
【０１２９】
そして、プリンタエンジン監視部Ｐｒ３は、利用可能プリンタリスト記憶部Ｍｅ３に記録されているプリンタＰｔ２、Ｐｔ３に、ＮＩＣ３１を介して、エラーが解除されたプリンタＰｔ１で印刷が再開されるように誘導するための誘導先プリンタ設定指示を送信し、操作パネル２８の表示部から前記代替プリンタ案内画面ｄｓ１を消去する。
【０１３０】
一方、エラー解除時刻が−１でない場合、プリンタエンジン監視部Ｐｒ３は、エラー解除時刻記憶部Ｍｅ４からエラー解除時刻を読み出し、ＲＴＣから現在時刻を読み込み、エラーが解除されてから所定の時間、本実施の形態においては、５〔分〕経過しているかどうかを判断する。エラーが解除されてから５〔分〕経過していない場合、プリンタエンジン監視部Ｐｒ３は、１〔秒〕が経過するまで一時的に動作を停止し、１〔秒〕が経過すると、再びプリンタＰｔ１においてエラーが発生したかどうかを判断する。
【０１３１】
したがって、エラーが解除されてから５〔分〕経過するまでは、前述されたように、エラーが解除されたプリンタＰｔ１からプリンタＰｔ２、Ｐｔ３に誘導先プリンタ設定指示が送られ、代替プリンタ案内画面ｄｓ１が消去されるので、プリンタＰｔ２、Ｐｔ３によって印刷が行われることはない。
【０１３２】
エラーが解除されてから５〔分〕経過している場合、プリンタエンジン監視部Ｐｒ３は、利用可能プリンタリスト記憶部Ｍｅ３に記録されたプリンタＰｔ２、Ｐｔ３にＮＩＣ３１を介してＮＦＣ一時有効化解除指示を送信し、ＮＦＣ一時有効化指示中フラグＦｇ３をオフにする。
【０１３３】
なお、本実施の形態において、プリンタＰｔ１は、エラーが発生すると第１の状態に置かれ、エラーが解除されてから５〔分〕経過するまでは第２の状態に置かれる。そして、プリンタＰｔ１が第１の状態に置かれている場合、プリンタＰｔ２、Ｐｔ３のＮＦＣ通信処理部Ｐｒ５は、携帯端末ＰｈからＷｉ−Ｆｉ（登録商標）情報要求を受信すると、Ｗｉ−Ｆｉ（登録商標）情報を、プリンタＰｔ２、Ｐｔ３の使用を許可する通知である使用許可通知として近距離無線通信によって携帯端末Ｐｈに送信する。また、プリンタＰｔ１が第２の状態に置かれている場合、プリンタＰｔ２、Ｐｔ３のＮＦＣ通信処理部Ｐｒ５は、携帯端末ＰｈからＷｉ−Ｆｉ（登録商標）情報要求を受信すると、誘導先プリンタ情報を、プリンタＰｔ２、Ｐｔ３の使用を許可しない通知、すなわち、使用不許可通知として近距離無線通信によって携帯端末Ｐｈに送信する。
【０１３４】
次に、フローチャートについて説明する。
ステップＳ４１  プリンタエンジン監視部Ｐｒ３はプリンタＰｔ１においてエラーが発生したかどうかを判断する。プリンタＰｔ１においてエラーが発生した場合はステップＳ４２に進み、プリンタＰｔ１においてエラーが発生しなかった場合はステップＳ４９に進む。
ステップＳ４２  プリンタエンジン監視部Ｐｒ３はエラー発生フラグＦｇ１をオンにする。
ステップＳ４３  プリンタエンジン監視部Ｐｒ３はＮＦＣ設定がオンであるかどうかを判断する。ＮＦＣ設定がオンである場合はステップＳ４４に進み、ＮＦＣ設定がオンでない場合はステップＳ４１に戻る。
ステップＳ４４  プリンタエンジン監視部Ｐｒ３は利用可能なプリンタを検索する。
ステップＳ４５  プリンタエンジン監視部Ｐｒ３はプリンタＰｔ２、Ｐｔ３にＮＦＣ一時有効化指示を送信する。
ステップＳ４６  プリンタエンジン監視部Ｐｒ３はＮＦＣ一時有効化指示中フラグＦｇ３をオンにする。
ステップＳ４７  プリンタエンジン監視部Ｐｒ３はエラー解除時刻記憶部Ｍｅ４に記録されているエラー解除時刻に−１をセットする。
ステップＳ４８  プリンタエンジン監視部Ｐｒ３は操作パネル２８の表示部に代替プリンタ案内画面ｄｓ１を表示し、ステップＳ４１に戻る。
ステップＳ４９  プリンタエンジン監視部Ｐｒ３はエラー発生フラグＦｇ１をオフにする。
ステップＳ５０  プリンタエンジン監視部Ｐｒ３はＮＦＣ一時有効化指示中フラグＦｇ３がオンであるかどうかを判断する。ＮＦＣ一時有効化指示中フラグＦｇ３がオンである場合はステップＳ５１に進み、ＮＦＣ一時有効化指示中フラグＦｇ３がオンでない場合はステップＳ４１に戻る。
ステップＳ５１  プリンタエンジン監視部Ｐｒ３はエラー解除時刻が−１であるかどうかを判断する。エラー解除時刻が−１である場合はステップＳ５２に進み、エラー解除時刻が−１でない場合はステップＳ５５に進む。
ステップＳ５２  プリンタエンジン監視部Ｐｒ３はエラー解除時刻記憶部Ｍｅ４に現在時刻を記録する。
ステップＳ５３  プリンタエンジン監視部Ｐｒ３はプリンタＰｔ２、Ｐｔ３に誘導先プリンタ設定指示を送信する。
ステップＳ５４  プリンタエンジン監視部Ｐｒ３は代替プリンタ案内画面ｄｓ１を消去し、ステップＳ４１に戻る。
ステップＳ５５  プリンタエンジン監視部Ｐｒ３はエラーが解除されてから５〔分〕経過しているかどうかを判断する。エラーが解除されてから５〔分〕経過している場合はステップＳ５６に進み、エラーが解除されてから５〔分〕経過していない場合はステップＳ４１に戻る。
ステップＳ５６  プリンタエンジン監視部Ｐｒ３はプリンタＰｔ２、Ｐｔ３にＮＦＣ一時有効化解除指示を送信する。
ステップＳ５７  プリンタエンジン監視部Ｐｒ３はＮＦＣ一時有効化指示中フラグＦｇ３をオフにし、ステップＳ４１に戻る。
【０１３５】
次に、印刷処理部Ｐｒ４の動作について説明する。
【０１３６】
図１２は本発明の実施の形態における印刷処理部の動作を示すフローチャートである。
【０１３７】
まず、印刷処理部Ｐｒ４は、所定の周期、本実施の形態においては、１〔秒〕の周期でＲＡＭ２３のジョブテーブルＴｂ１を参照し、ジョブテーブルＴｂ１にジョブがあるかどうかを判断する。
【０１３８】
そして、ジョブテーブルＴｂ１にジョブがある場合、印刷処理部Ｐｒ４は、ジョブテーブルＴｂ１の第１行のジョブについて、１ページずつ印刷を行う。印刷処理部Ｐｒ４は、すべてのページの印刷が終了するか、又はエラーが発生してプリンタＰｔ１が停止するまで印刷を継続する。
【０１３９】
なお、１ページの印刷が終了すると、印刷処理部Ｐｒ４は、ジョブの印刷済ページ数を１だけカウントアップし、印刷済ページ数が総ページ数より小さいかどうかによって、未印刷のページがあるかどうかを判断する。印刷済ページ数が総ページ数より小さく、未印刷のページがある場合、印刷処理部Ｐｒ４は次のページの印刷を行う。そして、すべてのページの印刷が終了し、未印刷のページがない場合、印刷処理部Ｐｒ４は、ジョブテーブルＴｂ１から印刷が終了したジョブを削除し、ジョブテーブルＴｂ１に次のジョブがあるかどうかを判断する。
【０１４０】
また、エラーが発生してプリンタＰｔ１が停止した場合、印刷処理部Ｐｒ４は、エラー発生フラグＦｇ１がオフであるかどうかによって、エラーが解除されたかどうかを判断する。エラー発生フラグＦｇ１がオフであり、エラーが解除された場合、印刷処理部Ｐｒ４は、ジョブの印刷を再開し、印刷再開通知をジョブの送信元である携帯端末Ｐｈに送信する。
【０１４１】
そして、エラー発生フラグＦｇ１がオフではなく、エラーが解除されていない場合、印刷処理部Ｐｒ４は、データ受信部Ｐｒ２のデータ受信処理において、ジョブが削除されるのを待機する。
【０１４２】
ジョブが削除された場合、印刷処理部Ｐｒ４は、ＲＡＭ２３のジョブテーブルＴｂ１を参照し、ジョブテーブルＴｂ１にジョブがあるかどうかを判断する。
【０１４３】
次に、フローチャートについて説明する。
ステップＳ６１  印刷処理部Ｐｒ４はジョブテーブルＴｂ１１にジョブがあるかどうかを判断する。ジョブがある場合はステップＳ６２に進む。
ステップＳ６２  印刷処理部Ｐｒ４は第１行のジョブについて１ページずつ印刷を行う。
ステップＳ６３  印刷処理部Ｐｒ４はプリンタＰｔ１が停止したかどうかを判断する。プリンタＰｔ１が停止した場合はステップＳ６７に進み、プリンタＰｔ１が停止していない場合はステップＳ６４に進む。
ステップＳ６４  印刷処理部Ｐｒ４は印刷済ページ数をカウントアップする。
ステップＳ６５  印刷処理部Ｐｒ４は未印刷のページがあるかどうかを判断する。未印刷のページがある場合はステップＳ６２に戻り、未印刷のページがない場合はステップＳ６６に進む。
ステップＳ６６  印刷処理部Ｐｒ４はジョブテーブルＴｂ１１から印刷が終了したジョブを削除し、ステップＳ６１に戻る。
ステップＳ６７  印刷処理部Ｐｒ４はエラー発生フラグＦｇ１がオフであるかどうかを判断する。エラー発生フラグＦｇ１がオフである場合はステップＳ６８に進み、エラー発生フラグＦｇ１がオフでない場合はステップＳ６９に進む。
ステップＳ６８  印刷処理部Ｐｒ４は印刷再開通知を送信し、ステップＳ６２に戻る。
ステップＳ６９  印刷処理部Ｐｒ４はジョブが削除されたかどうかを判断する。ジョブが削除された場合はステップＳ６１に戻り、ジョブが削除されていない場合はステップＳ６７に戻る。
【０１４４】
次に、ＮＦＣ通信処理部Ｐｒ５の動作について説明する。
【０１４５】
図１３は本発明の実施の形態におけるＮＦＣ通信部の動作を示すフローチャートである。
【０１４６】
まず、ＮＦＣ通信処理部Ｐｒ５は、携帯端末ＰｈからＮＦＣインタフェースＳｐｉを介してＷｉ−Ｆｉ（登録商標）情報要求を受信するのを待機し、携帯端末ＰｈからＷｉ−Ｆｉ（登録商標）情報要求を受信した場合、フラッシュメモリ２４のＮＦＣ設定記憶部Ｍｆ３のＮＦＣ設定がオンであるかどうかを判断する。
【０１４７】
ＮＦＣ設定がオンである場合、フラッシュメモリ２４のホスト名記憶部Ｍｆ１から自機のホスト名を読み出すとともに、Ｗｉ−Ｆｉ（登録商標）情報記憶部Ｍｆ２からＳＳＩＤ等のＷｉ−Ｆｉ（登録商標）情報を読み出し、ホスト名及びＷｉ−Ｆｉ（登録商標）情報を携帯端末Ｐｈに送信する。
【０１４８】
一方、ＮＦＣ設定がオンでない（オフである）場合、ＮＦＣ通信処理部Ｐｒ５は、誘導先プリンタ記憶部Ｍｅ１を参照し、誘導先プリンタ記憶部Ｍｅ１に誘導先プリンタが記録されているかどうかを判断し、誘導先プリンタが記録されていない場合、ホスト名及びＷｉ−Ｆｉ（登録商標）情報を携帯端末Ｐｈに送信する。また、誘導先プリンタ記憶部Ｍｅ１に誘導先プリンタが記録されている場合、ＮＦＣ通信処理部Ｐｒ５は、誘導先プリンタを携帯端末Ｐｈに通知する。
【０１４９】
次に、フローチャートについて説明する。
ステップＳ７１  ＮＦＣ通信処理部Ｐｒ５はＷｉ−Ｆｉ（登録商標）情報要求を受信するのを待機する。Ｗｉ−Ｆｉ（登録商標）情報要求を受信した場合はステップＳ７２に進む。
ステップＳ７２  ＮＦＣ通信処理部Ｐｒ５はＮＦＣ設定がオンであるかどうかを判断する。ＮＦＣ設定がオンである場合はステップＳ７３に進み、ＮＦＣ設定がオンでない場合はステップＳ７４に進む。
ステップＳ７３  ＮＦＣ通信処理部Ｐｒ５はホスト名及びＷｉ−Ｆｉ（登録商標）情報を携帯端末Ｐｈに送信し、ステップＳ７１に戻る。
ステップＳ７４  ＮＦＣ通信処理部Ｐｒ５は誘導先プリンタ記憶部Ｍｅ１に誘導先プリンタが記録されているかどうかを判断する。誘導先プリンタ記憶部Ｍｅ１に誘導先プリンタが記録されている場合はステップＳ７５に進み、誘導先プリンタ記憶部Ｍｅ１に誘導先プリンタが記録されていない場合はステップＳ７３に進む。
ステップＳ７５  ＮＦＣ通信処理部Ｐｒ５は誘導先プリンタを携帯端末Ｐｈに通知し、ステップＳ７１に戻る。
【０１５０】
次に、携帯端末Ｐｈの動作について説明する。
【０１５１】
携帯端末Ｐｈの電源がオンにされると、制御部４１がオペレーティングシステムＯＳを起動し、該オペレーティングシステムＯＳは、操作者によるタッチパネル４８の操作に基づいて印刷アプリケーションＡｐを起動する。
【０１５２】
図１４は本発明の実施の形態における携帯端末の制御部の動作を示す第１のフローチャート、図１５は本発明の実施の形態における携帯端末の制御部の動作を示す第２のフローチャート、図１６は本発明の実施の形態におけるジョブ停止画面の例を示す図、図１７は本発明の実施の形態における別プリンタ案内画面の例を示す図、図１８は本発明の実施の形態における再開案内画面の例を示す図である。
【０１５３】
まず、操作者が、タッチパネル４８を操作して、ＲＡＭ４３に記録されている印刷対象のファイルを選択すると、制御部４１は、ファイルの選択を受け付ける。
【０１５４】
続いて、制御部４１は、操作者によって携帯端末ＰｈがプリンタＰｔ１にかざされ、携帯端末ＰｈとプリンタＰｔ１との間（ＮＦＣインタフェースＳｎとプリンタＰｔ１のＮＦＣインタフェースＳｐ１との間）でＮＦＣが有効になるのを待機し、ＮＦＣが有効になると、プリンタＰｔ１にＷｉ−Ｆｉ（登録商標）情報要求を送信する。
【０１５５】
そして、制御部４１は、プリンタＰｔ１からＷｉ−Ｆｉ（登録商標）情報を受信したかどうかを判断し、Ｗｉ−Ｆｉ（登録商標）情報を受信した場合、該Ｗｉ−Ｆｉ（登録商標）情報を用いてＷｉ−Ｆｉ（登録商標）インタフェース５３とプリンタＰｔ１のＷｉ−Ｆｉ（登録商標）インタフェース３３との間でハンドオーバを行い、携帯端末ＰｈとプリンタＰｔ１とを無線ＬＡＮによって接続する。
【０１５６】
続いて、制御部４１は、操作者が選択した印刷対象のファイルの印刷を行うために、ジョブを作成し、プリンタＰｔ１に送信するとともに、ジョブに関するジョブ情報をＲＡＭ４３のジョブテーブルＴｂ１１に記録する。この場合、ジョブ情報において、印刷対象のファイルのファイル名がジョブ名とされ、プリンタＰｔ１から受信したホスト名が印刷中ホスト名とされ、プリンタＰｔ１から受信したジョブＩＤがそのままジョブＩＤとされる。
【０１５７】
プリンタＰｔ１にジョブを送信すると、制御部４１は、所定の周期、本実施の形態においては、２〔秒〕の周期でプリンタＰｔ１にジョブ状態要求を送信する。なお、ジョブ状態要求に対してプリンタＰｔ１から携帯端末Ｐｈに送信されるジョブ状態情報には、ジョブテーブルＴｂ１１に記録されるジョブ情報が含まれ、制御部４１は、前記ジョブ情報に基づいてジョブテーブルＴｂ１１の印刷済ページ数を更新する。
【０１５８】
制御部４１は、ジョブ状態要求に対して、プリンタＰｔ１から該当するジョブがない旨の応答を受信したかどうかを判断し、ジョブの印刷が終了したとき等、該当するジョブがない旨の応答を受信した場合、処理を終了する。
【０１５９】
ジョブ状態要求に対して、該当するジョブがない旨の通知を受信しなかった場合、制御部４１は、プリンタＰｔ１からエラーが発生している旨の通知、すなわち、エラー発生中の通知を受信したかどうかを判断する。そして、プリンタＰｔ１からエラー発生中の通知を受信した場合、制御部４１は、タッチパネル４８に図１６に示されるようなジョブ停止画面ｄｓ２を形成し、該ジョブ停止画面ｄｓ２に、「エラーが発生し、ジョブの印刷が停止しました。エラーを解除してください。このまま「ｐｒｉｎｔｅｒ１０２」又は「ｐｒｉｎｔｅｒ１０３」に携帯端末Ｐｈをかざすと、「定例報告資料. ｄｏｃ」の印刷を継続することができます。」等の、現在印刷が行われているプリンタＰｔ１においてエラーが発生した旨を操作者に通知し、操作者にエラーの解除を促すとともに、プリンタＰｔ２、Ｐｔ３のホスト名を表示して、プリンタＰｔ２、Ｐｔ３に携帯端末Ｐｈをかざして印刷を継続するよう促すメッセージｍ２を表示する。
【０１６０】
そして、タッチパネル４８にジョブ停止画面ｄｓ２が形成されると、制御部４１は、携帯端末ＰがプリンタＰｔ２、Ｐｔ３にかざされ、携帯端末ＰとプリンタＰｔ２、Ｐｔ３との間でＮＦＣが有効になったかどうかを判断する。携帯端末ＰとプリンタＰｔ２、Ｐｔ３との間でＮＦＣが有効になった場合、制御部４１は、プリンタＰｔ２、Ｐｔ３にＷｉ−Ｆｉ（登録商標）情報要求を送信し、プリンタＰｔ２、Ｐｔ３からＷｉ−Ｆｉ（登録商標）情報を受信したかどうかを判断する。
【０１６１】
プリンタＰｔ２、Ｐｔ３からＷｉ−Ｆｉ（登録商標）情報を受信した場合、制御部４１は、前記Ｗｉ−Ｆｉ（登録商標）情報を用いてＷｉ−Ｆｉ（登録商標）インタフェース５３とプリンタＰｔ２、Ｐｔ３のＷｉ−Ｆｉ（登録商標）インタフェース３３との間でハンドオーバを行い、携帯端末ＰｈとプリンタＰｔ２、Ｐｔ３とを無線ＬＡＮによって接続し、プリンタＰｔ２又はプリンタＰｔ３に停止中ジョブ削除指示を送信する。
【０１６２】
続いて、制御部４１は、停止中ジョブ削除指示に対してプリンタＰｔ２又はプリンタＰｔ３から肯定応答を受信したかどうかを判断し、肯定応答を受信した場合、ジョブをプリンタＰｔ２、Ｐｔ３に転送し、プリンタＰｔ２、Ｐｔ３から新たなジョブＩＤを受信する。
【０１６３】
なお、このとき、制御部４１は、ＲＡＭ４３のジョブテーブルＴｂ１１を参照し、ジョブの印刷済ページ数を読み出し、印刷済ページ数に基づいて、未印刷のページ分のジョブをプリンタＰｔ２、Ｐｔ３に転送する。また、制御部４１は、ジョブテーブルＴｂ１１における印刷中ホスト名をプリンタＰｔ２、Ｐｔ３のホスト名に変更し、ジョブＩＤをプリンタＰｔ２、Ｐｔ３から受信した新たなジョブＩＤに変更する。
【０１６４】
続いて、制御部４１は、ジョブ状態要求を２〔秒〕の周期でプリンタＰｔ２、Ｐｔ３に送信する。  
【０１６５】
一方、制御部４１がプリンタＰｔ１にＷｉ−Ｆｉ（登録商標）情報要求を送信したときに、Ｗｉ−Ｆｉ（登録商標）情報を受信しなかった場合、携帯端末ＰｈがプリンタＰｔ２、Ｐｔ３にかざされたことが想定される。その場合、プリンタＰｔ２、Ｐｔ３から別プリンタ通知が送信される。別プリンタ通知を受信すると、制御部４１は、タッチパネル４８に図１７に示されるような別プリンタ案内画面ｄｓ３を形成し、別プリンタ案内画面ｄｓ３に、例えば、「かざして印刷は「ｐｒｉｎｔｅｒ１０１」で実行してください。」等の、誘導先プリンタ通知に含まれるホスト名のプリンタＰｔ１を使用することを操作者に促すメッセージｍ３を表示する。そして、制御部４１は、Ｗｉ−Ｆｉ（登録商標）情報要求を送信したプリンタＰｔ２、Ｐｔ３との間の現在のＮＦＣを終了し、携帯端末Ｐｈと別プリンタ案内画面ｄｓ３で操作者に促したプリンタＰｔ１との間のＮＦＣが有効になるのを待機する。
【０１６６】
また、ジョブ停止画面ｄｓ２を形成し、プリンタＰｔ２、Ｐｔ３に携帯端末Ｐｈをかざして印刷を継続するよう促したときに、携帯端末ＰｈとプリンタＰｔ２、Ｐｔ３との間でＮＦＣが有効にならなかった場合、制御部４１は、エラーが解除されたプリンタＰｔ１から印刷再開通知を受信したかどうかを判断し、印刷再開通知を受信した場合、プリンタＰｔ１にジョブ状態要求を繰り返し送信する。なお、この場合、エラーが解除された時点で、携帯端末ＰｈとプリンタＰｔ１とがＷｉ−Ｆｉ（登録商標）による接続がされていることが想定される。これに対して、印刷再開通知を受信しなかった場合、制御部４１は、タッチパネル４８に形成されたジョブ停止画面ｄｓ２で、プリンタＰｔ２、Ｐｔ３に携帯端末Ｐｈをかざして印刷を継続するよう操作者に促す。
【０１６７】
さらに、携帯端末ＰｈとプリンタＰｔ２、Ｐｔ３との間でＮＦＣが有効になり、プリンタＰｔ２、Ｐｔ３にＷｉ−Ｆｉ（登録商標）情報要求を送信したときに、Ｗｉ−Ｆｉ（登録商標）情報を受信せず、プリンタＰｔ２、Ｐｔ３から誘導先プリンタ通知を受信した場合、及び前記停止中ジョブ削除指示をプリンタＰｔ１に送信したときに、プリンタＰｔ１から肯定応答を受信しなかった場合、制御部４１は、タッチパネル４８に図１８に示されるような再開案内画面ｄｓ４を形成し、該再開案内画面ｄｓ４に、例えば、「「ｐｒｉｎｔｅｒ１０１」のエラーが解除されました。既に「ｐｒｉｎｔｅｒ１０１」に送信されたジョブは「ｐｒｉｎｔｅｒ１０１」で印刷されますので、「ｐｒｉｎｔｅｒ１０１」を確認してください。」等の、プリンタＰｔ１においてエラーが解除された旨、及びプリンタＰｔ１に送信したジョブの印刷がプリンタＰｔ１において継続して行われる旨を操作者に通知するメッセージｍ４を表示する。なお、この場合、エラーが解除された時点で、携帯端末ＰｈがＮＦＣの電波が届かない箇所に移動した等の理由で、携帯端末Ｐｈとエラーが解除されたプリンタＰｔ１とがＷｉ−Ｆｉ（登録商標）による接続がされていないことが想定される。
【０１６８】
続いて、制御部４１は、携帯端末ＰｈとプリンタＰｔ１との間で再びＷｉ−Ｆｉ（登録商標）による無線ＬＡＮの接続を行い、プリンタＰｔ１にジョブ状態要求を送信する。
【０１６９】
次に、フローチャートについて説明する。
ステップＳ８１  制御部４１はファイルの選択を受け付ける。
ステップＳ８２  制御部４１はＮＦＣが有効になるのを待機する。ＮＦＣが有効になった場合はステップＳ８３に進む。
ステップＳ８３  制御部４１はプリンタＰｔ１にＷｉ−Ｆｉ（登録商標）情報要求を送信する。
ステップＳ８４  制御部４１はＷｉ−Ｆｉ（登録商標）情報を受信したかどうかを判断する。Ｗｉ−Ｆｉ（登録商標）情報を受信した場合はステップＳ８５に進み、Ｗｉ−Ｆｉ（登録商標）情報を受信しなかった場合はステップＳ９８に進む。
ステップＳ８５  制御部４１はＷｉ−Ｆｉ（登録商標）インタフェース５３とプリンタＰｔ１のＷｉ−Ｆｉ（登録商標）インタフェース３３との間でハンドオーバを行う。
ステップＳ８６  制御部４１はプリンタＰｔ１にジョブを送信する。
ステップＳ８７  制御部４１はプリンタＰｔ１にジョブ状態要求を送信する。
ステップＳ８８  制御部４１はプリンタＰｔ１からジョブがない旨の応答を受信したかどうかを判断する。プリンタＰｔ１からジョブがない旨の応答を受信した場合は処理を終了し、プリンタＰｔ１からジョブがない旨の応答を受信しなかった場合はステップＳ８９に進む。
ステップＳ８９  制御部４１はプリンタＰｔ１からエラー発生中の通知を受信したかどうかを判断する。プリンタＰｔ１からエラー発生中の通知を受信した場合はステップＳ９０に進み、プリンタＰｔ１からエラー発生中の通知を受信しなかった場合はステップＳ８７に戻る。
ステップＳ９０  制御部４１は操作パネル４８にジョブ停止画面ｄｓ２を形成する。
ステップＳ９１  制御部４１は携帯端末ＰｈとプリンタＰｔ２、Ｐｔ３との間でＮＦＣが有効になったかどうかを判断する。携帯端末ＰｈとプリンタＰｔ２、Ｐｔ３との間でＮＦＣが有効になった場合はステップＳ９２に進み、携帯端末ＰｈとプリンタＰｔ２、Ｐｔ３との間でＮＦＣが有効にならなかった場合はステップＳ９９に進む。
ステップＳ９２  制御部４１はプリンタＰｔ２、Ｐｔ３にＷｉ−Ｆｉ（登録商標）情報要求を送信する。
ステップＳ９３  制御部４１はＷｉ−Ｆｉ（登録商標）情報を受信したかどうかを判断する。Ｗｉ−Ｆｉ（登録商標）情報を受信した場合はステップＳ９４に進み、Ｗｉ−Ｆｉ（登録商標）情報を受信しなかった場合はステップＳ１００に進む。
ステップＳ９４  制御部４１はＷｉ−Ｆｉ（登録商標）インタフェース５３とプリンタＰｔ２、Ｐｔ３のＷｉ−Ｆｉ（登録商標）インタフェース３３との間でハンドオーバを行う。
ステップＳ９５  制御部４１はプリンタＰｔ２又はプリンタＰｔ３に停止中ジョブ削除指示を送信する。
ステップＳ９６  制御部４１はプリンタＰｔ２又はプリンタＰｔ３から肯定応答を受信したかどうかを判断する。プリンタＰｔ１から肯定応答を受信した場合はステップＳ９７に進み、プリンタＰｔ１から肯定応答を受信しなかった場合はステップＳ１００に進む。
ステップＳ９７  制御部４１はプリンタＰｔ２、Ｐｔ３にジョブを転送し、ステップＳ８７に戻る。
ステップＳ９８  制御部４１は操作パネル４８に別プリンタ案内画面ｄｓ３を形成し、ステップＳ８２に戻る。
ステップＳ９９  制御部４１はプリンタＰｔ１から印刷再開通知を受信したかどうかを判断する。プリンタＰｔ１から印刷再開通知を受信した場合はステップＳ８７に戻り、プリンタＰｔ１から印刷再開通知を受信しなかった場合はステップＳ９０に戻る。
ステップＳ１００  制御部４１は操作パネル４８に再開案内画面ｄｓ４を形成する。
ステップＳ１０１  制御部４１は携帯端末ＰｈとプリンタＰｔ１との間で再びＷｉ−Ｆｉ（登録商標）接続を行い、ステップＳ８７に戻る。
【０１７０】
次に、プリンタＰｔ１において印刷中にエラーが発生したときに、代替プリンタであるプリンタＰｔ２において印刷を行う場合のシーケンスについて説明する。
【０１７１】
図１９は本発明の実施の形態におけるプリンタにおいてエラーが発生したときに代替プリンタにおいて印刷を行う場合の第１のシーケンス図、図２０は本発明の実施の形態におけるプリンタにおいてエラーが発生したときに代替プリンタにおいて印刷を行う場合の第２のシーケンス図、図２１は本発明の実施の形態におけるプリンタにおいてエラーが発生したときに代替プリンタにおいて印刷を行う場合の第３のシーケンス図である。なお、ＮＦＣ設定は、プリンタＰｔ１においてあらかじめオンにされ、プリンタＰｔ２、Ｐｔ３においてあらかじめオフにされる。
【０１７２】
操作者は、携帯端末Ｐｈにおいて、ＲＡＭ４３に記録されている印刷対象のファイルを選択し、携帯端末ＰｈをプリンタＰｔ１にかざす。
【０１７３】
プリンタＰｔ１のＮＦＣ設定がオンにされていて、プリンタＰｔ１においてＮＦＣが有効にされているので、携帯端末ＰｈはプリンタＰｔ１にＷｉ−Ｆｉ（登録商標）情報要求を送信し、プリンタＰｔ１は携帯端末ＰｈにＷｉ−Ｆｉ（登録商標）情報を送信する。
【０１７４】
続いて、Ｗｉ−Ｆｉ（登録商標）情報によって、Ｗｉ−Ｆｉ（登録商標）インタフェース５３とプリンタＰｔ１のＷｉ−Ｆｉ（登録商標）インタフェース３３との間でハンドオーバが行われ、携帯端末ＰｈとプリンタＰｔ１とがＷｉ−Ｆｉ（登録商標）で（無線ＬＡＮによって）接続される。
【０１７５】
次に、携帯端末ＰｈがプリンタＰｔ１にジョブを送信すると、プリンタＰｔ１は携帯端末ＰｈにジョブＩＤを送信し、プリンタＰｔ１は印刷を開始する。
【０１７６】
続いて、携帯端末ＰｈはプリンタＰｔ１に２〔秒〕の周期でジョブ状態要求を送信し、プリンタＰｔ１は、ジョブ状態要求を受信すると、携帯端末Ｐｈにジョブ状態情報（印刷済ページ数が１）を送信する。
【０１７７】
その後、プリンタＰｔ１においてエラーが発生すると、プリンタＰｔ１において、プリンタエンジン監視部Ｐｒ３（図１）は利用可能なプリンタを検索する。
【０１７８】
そのために、プリンタＰｔ１は利用可能問合せをネットワークＮｔ１上にブロードキャストによって送信する。これに対して、プリンタＰｔ２、Ｐｔ３がプリンタＰｔ１に肯定応答を送信すると、プリンタＰｔ１はプリンタＰｔ２、Ｐｔ３にＮＦＣ一時有効化指示を送信し、各プリンタＰｔ２、Ｐｔ３はＮＦＣを有効にする。
【０１７９】
このとき、プリンタＰｔ１は操作パネル２８に代替プリンタ案内画面ｄｓ１（図１１）を形成する。
【０１８０】
その間も、携帯端末ＰｈはプリンタＰｔ１に２〔秒〕の周期でジョブ状態要求を送信するが、プリンタＰｔ１においてエラーが発生した後、携帯端末ＰｈがプリンタＰｔ１にジョブ状態要求を送信すると、プリンタＰｔ１は携帯端末Ｐｈにジョブ状態情報（エラー発生中であること、印刷済ページ数が５であること、及び利用可能プリンタリスト）を送信する。
【０１８１】
そして、携帯端末Ｐｈはタッチパネル４８にジョブ停止画面ｄｓ２を形成する。
【０１８２】
操作者は、ジョブ停止画面ｄｓ２を見て、プリンタＰｔ２で印刷を行おうと考え、携帯端末ＰｈをプリンタＰｔ２にかざす。このとき、プリンタＰｔ２はプリンタＰｔ１から受信したＮＦＣ一時有効化指示に基づいて有効にされているので、携帯端末ＰｈはプリンタＰｔ２にＷｉ−Ｆｉ（登録商標）情報要求を送信し、プリンタＰｔ２は携帯端末ＰｈにＷｉ−Ｆｉ（登録商標）情報を送信する。なお、プリンタＰｔ２においては、誘導先プリンタがないので、プリンタＰｔ１に誘導先プリンタ通知は送信されない。
【０１８３】
続いて、Ｗｉ−Ｆｉ（登録商標）情報によって、Ｗｉ−Ｆｉ（登録商標）インタフェース５３とプリンタＰｔ２のＷｉ−Ｆｉ（登録商標）インタフェース３３との間でハンドオーバが行われ、携帯端末ＰｈとプリンタＰｔ２とがＷｉ−Ｆｉ（登録商標）で（無線ＬＡＮによって）接続される。
【０１８４】
続いて、携帯端末Ｐｈは、プリンタＰｔ１における停止中のジョブを削除するための停止中ジョブ削除指示をプリンタＰｔ２に送信する。停止中ジョブ削除指示に含まれるホスト名「ｐｒｉｎｔｅｒ１０１」がプリンタＰｔ２のホスト名と一致しないので、停止中ジョブ削除指示はホスト名が「ｐｒｉｎｔｅｒ１０１」のプリンタＰｔ１に転送される。停止中ジョブ削除指示がプリンタＰｔ１に送信されると、停止中ジョブ削除指示の対象となるジョブがジョブテーブルＴｂ１内に存在し、かつ、プリンタＰｔ１がエラー発生中であるので、対象となるジョブが削除され、プリンタＰｔ１は肯定応答をプリンタＰｔ２に送信する。そして、プリンタＰｔ２は携帯端末Ｐｈに肯定応答を転送する。
【０１８５】
携帯端末ＰｈはプリンタＰｔ２にジョブを送信し、プリンタＰｔ２はジョブについて印刷を行う。
【０１８６】
次に、操作者が、携帯端末Ｐｈをかざすために代替プリンタであるプリンタＰｔ２に移動している間にプリンタＰｔ１においてエラーが解除された場合のシーケンスについて説明する。
【０１８７】
図２２は本発明の実施の形態における操作者が代替プリンタに移動している間にプリンタにおいてエラーが解除された場合の第１のシーケンス図、図２３は本発明の実施の形態における操作者が代替プリンタに移動している間にプリンタにおいてエラーが解除された場合の第２のシーケンス図、図２４は本発明の実施の形態における操作者が代替プリンタに移動している間にプリンタにおいてエラーが解除された場合の第３のシーケンス図である。
【０１８８】
図２２及び２３の第１、第２のシーケンスは、図１９及び２０の第１、第２のシーケンスと同じであるので説明を省略する。
【０１８９】
操作者がジョブ停止画面ｄｓ２を見て、プリンタＰｔ２で印刷を行おうと考え、プリンタＰｔ２へ移動している間に、第三者によってプリンタＰｔ１のエラーが解除されると、プリンタＰｔ１においてエラーの解除が検出され、プリンタＰｔ１はプリンタＰｔ２、Ｐｔ３に誘導先プリンタ設定指示を送信する。プリンタＰｔ２、Ｐｔ３において、誘導先プリンタ設定指示に含まれるホスト名「ｐｒｉｎｔｅｒ１０１」のプリンタＰｔ１が誘導先プリンタとして各誘導先プリンタ記憶部Ｍｅ１に記録される。そして、プリンタＰｔ１は印刷を再開する。
【０１９０】
操作者が携帯端末ＰｈをプリンタＰｔ２にかざすと、携帯端末ＰｈはプリンタＰｔ２にＷｉ−Ｆｉ（登録商標）情報要求を送信する。プリンタＰｔ２の誘導先プリンタ記憶部Ｍｅ１には誘導先プリンタが記録されているので、プリンタＰｔ２は携帯端末Ｐｈに誘導先プリンタのホスト名を含む誘導先プリンタ通知を送信し、誘導先プリンタを通知する。
【０１９１】
そして、携帯端末Ｐｈはタッチパネル４８に再開案内画面ｄｓ４を形成する。
【０１９２】
操作者は、プリンタＰｔ１に移動し、印刷物を回収する。
【０１９３】
一方、プリンタＰｔ１においては、エラーが解除されてから５〔分〕経過すると、プリンタＰｔ１はプリンタＰｔ２、Ｐｔ３にＮＦＣ一時有効化解除指示を送信する。プリンタＰｔ２、Ｐｔ３は、ＮＦＣを無効にする。
【０１９４】
次に、プリンタＰｔ１において当初からエラーが発生しているときに、代替プリンタであるプリンタＰｔ２において印刷を行う場合のシーケンスについて説明する。
【０１９５】
図２５は本発明の実施の形態におけるプリンタにおいて当初からエラーが発生しているときに代替プリンタにおいて印刷を行う場合のシーケンス図である。
【０１９６】
プリンタＰｔ１がアイドル状態において、プリンタＰｔ１のカバーが開かれ、エラーが発生すると、プリンタＰｔ１は、プリンタエンジン監視部Ｐｒ３による利用可能なプリンタを検索し、プリンタＰｔ２、Ｐｔ３にＮＦＣ一時有効化指示を送信する。各プリンタＰｔ２、Ｐｔ３はＮＦＣを有効にする。
【０１９７】
このとき、プリンタＰｔ１は操作パネル２８に代替プリンタ案内画面ｄｓ１を形成する。
【０１９８】
続いて、操作者は、携帯端末Ｐｈにおいて、ＲＡＭ４３に記録されている印刷対象のファイルを選択し、操作パネル２８に形成された代替プリンタ案内画面ｄｓ１を見て、プリンタＰｔ１に発生したエラーを認識し、携帯端末ＰｈをプリンタＰｔ２にかざす。
【０１９９】
プリンタＰｔ１はプリンタＰｔ２にＮＦＣ一時有効化指示を送信する。プリンタＰｔ２においてＮＦＣが有効にされているので、携帯端末ＰｈはプリンタＰｔ２にＷｉ−Ｆｉ（登録商標）情報要求を送信し、プリンタＰｔ２は携帯端末ＰｈにＷｉ−Ｆｉ（登録商標）情報を送信する。
【０２００】
続いて、Ｗｉ−Ｆｉ（登録商標）情報によって、Ｗｉ−Ｆｉ（登録商標）インタフェース５３とプリンタＰｔ２のＷｉ−Ｆｉ（登録商標）インタフェース３３との間でハンドオーバが行われ、携帯端末ＰｈとプリンタＰｔ２とがＷｉ−Ｆｉ（登録商標）で（無線ＬＡＮによって）接続される。
【０２０１】
そして、携帯端末ＰｈがプリンタＰｔ２にジョブを送信すると、プリンタＰｔ２は印刷を開始する。
【０２０２】
次に、プリンタＰｔ１において当初からエラーが発生していて、操作者が携帯端末Ｐｈをかざすために代替プリンタであるプリンタＰｔ２に移動している間にプリンタＰｔ１においてエラーが解除された場合のシーケンスについて説明する。
【０２０３】
図２６は本発明の実施の形態におけるプリンタにおいて当初からエラーが発生していて操作者が代替プリンタに移動している間にエラーが解除された場合のシーケンス図である。
【０２０４】
プリンタＰｔ１がアイドル状態において、プリンタＰｔ１のカバーが開かれ、エラーが発生すると、プリンタＰｔ１は、プリンタエンジン監視部Ｐｒ３による利用可能なプリンタを検索し、プリンタＰｔ２、Ｐｔ３にＮＦＣ一時有効化指示を送信する。各プリンタＰｔ２、Ｐｔ３はＮＦＣを有効にする。
【０２０５】
このとき、プリンタＰｔ１は操作パネル２８に代替プリンタ案内画面ｄｓ１を形成する。
【０２０６】
そして、操作者は、携帯端末Ｐｈにおいて、ＲＡＭ４３に記録されている印刷対象のファイルを選択するが、操作パネル２８に形成された代替プリンタ案内画面ｄｓ１を見て、プリンタＰｔ１に発生したエラーを認識する。
【０２０７】
操作者が、携帯端末ＰｈをプリンタＰｔ２にかざすためにプリンタＰｔ２に移動している間に、第三者によってプリンタＰｔ１のエラーが解除されると、プリンタＰｔ１においてエラーの解除が検出され、プリンタＰｔ１がプリンタＰｔ２、Ｐｔ３に誘導先プリンタ設定指示を送信する。プリンタＰｔ２、Ｐｔ３は、誘導先プリンタ設定指示に含まれるホスト名「ｐｒｉｎｔｅｒ１０１」のプリンタＰｔ１を誘導先プリンタとして各誘導先プリンタ記憶部Ｍｅ１に記録する。
【０２０８】
操作者が携帯端末をプリンタＰｔ２にかざすと、携帯端末ＰｈはプリンタＰｔ２にＷｉ−Ｆｉ（登録商標）情報要求を送信する。プリンタＰｔ２の誘導先プリンタ記憶部Ｍｅ１にはプリンタＰｔ１が誘導先プリンタとして記録されているので、プリンタＰｔ２は携帯端末Ｐｈに誘導先プリンタのホスト名を含む別プリンタ案内通知を送信し、誘導先プリンタを通知する。携帯端末Ｐｈはタッチパネル４８に別プリンタ案内画面ｄｓ４を形成する。
【０２０９】
続いて、操作者は、携帯端末ＰｈをプリンタＰｔ１にかざして、プリンタＰｔ１において印刷を行う（かざして印刷を行う）。一方、プリンタＰｔ１は、エラーが解除されてから５〔分〕経過すると、プリンタＰｔ２、Ｐｔ３にＮＦＣ一時有効化解除指示を送信する。プリンタＰｔ２、Ｐｔ３はＮＦＣを無効にする。
【０２１０】
このように、本実施の形態においては、プリンタＰｔ１においてエラーが発生した場合に、携帯端末Ｐｈとの間のＮＦＣを有効にするＮＦＣ一時有効化指示がプリンタＰｔ１からプリンタＰｔ２、Ｐｔ３に送信され、プリンタＰｔ２、Ｐｔ３において、ＮＦＣインタフェースＳｐ２、Ｓｐ３が起動され、携帯端末ＰｈとのＮＦＣが有効にされるので、操作者が携帯端末ＰｈをプリンタＰｔ２、Ｐｔ３にかざすだけで、プリンタＰｔ２、Ｐｔ３で印刷を継続することができる。
【０２１１】
また、プリンタＰｔ１においてエラーが発生しなかった場合は、プリンタＰｔ２、Ｐｔ３と携帯端末Ｐｈとの間のＮＦＣが有効にされないので、プリンタＰｔ２、Ｐｔ３において消費電力が大きくなるのを防止することができる。
【０２１２】
しかも、プリンタＰｔ１にエラーが発生した場合に、ＮＦＣ一時有効化指示がプリンタＰｔ１からプリンタＰｔ２、Ｐｔ３に自動的に送信されるので、操作者によってプリンタＰｔｉを操作する必要がなく、作業を簡素化することができる。
【０２１３】
また、プリンタＰｔ１のエラーが解除されてから５〔分〕経過すると、ＮＦＣ一時有効化解除指示がプリンタＰｔ２、Ｐｔ３に送信され、ＮＦＣインタフェースＳｐ２、Ｓｐ３が停止させられ、携帯端末Ｐｈとの間のＮＦＣが無効にされるので、電力の消費量を抑制することができる。
【０２１４】
そして、プリンタＰｔ１のエラーが解除されてから５〔分〕経過するまでの間に、プリンタＰｔ２、Ｐｔ３から携帯端末Ｐｈに、プリンタＰｔ２、Ｐｔ３の使用を許可せず、第１のプリンタＰｔ１を誘導先プリンタとする誘導先プリンタ通知が携帯端末Ｐｈに送信されるので、操作者は、携帯端末Ｐｈを無用にプリンタＰｔ２、Ｐｔ３にかざすことなく、プリンタＰｔ１によって印刷を継続することができる。
【０２１５】
前記実施の形態においては、携帯端末ＰｈとプリンタＰｔｉとから成る画像形成システムＳｙについて説明したが、本発明を携帯端末Ｐｈと複写機、ファクシミリ、複合機等の画像形成装置とから成る画像形成システムに適用することができる。
【０２１６】
なお、本発明は前記実施の形態に限定されるものではなく、本発明の趣旨に基づいて種々変形させることが可能であり、それらを本発明の範囲から排除するものではない。
【符号の説明】
【０２１７】
Ｎｔ１    ネットワーク
Ｎｔ２    近距離無線通信回線
Ｐｈ    携帯端末
Ｐｒ１    ＮＦＣ状態切替部
Ｐｒ３    プリンタエンジン監視部
Ｐｔ１〜Ｐｔ３    プリンタ
Ｓｐｉ    ＮＦＣインタフェース
Ｓｙ    画像形成システム
【図１】
2020181448.tif 000003
【図２】
2020181448.tif 000004
【図３】
2020181448.tif 000005
【図４】
2020181448.tif 000006
【図５】
2020181448.tif 000007
【図６】
2020181448.tif 000008
【図７】
2020181448.tif 000009
【図８】
2020181448.tif 000010
【図９】
2020181448.tif 000011
【図１０】
2020181448.tif 000012
【図１１】
2020181448.tif 000013
【図１２】
2020181448.tif 000014
【図１３】
2020181448.tif 000015
【図１４】
2020181448.tif 000016
【図１５】
2020181448.tif 000017
【図１６】
2020181448.tif 000018
【図１７】
2020181448.tif 000019
【図１８】
2020181448.tif 000020
【図１９】
2020181448.tif 000021
【図２０】
2020181448.tif 000022
【図２１】
2020181448.tif 000023
【図２２】
2020181448.tif 000024
【図２３】
2020181448.tif 000025
【図２４】
2020181448.tif 000026
【図２５】
2020181448.tif 000027
【図２６】
2020181448.tif 000028